(57)【要約】【課題】この発明は、光情報記録媒体に関し、セクタのヘッダ部のデータ長を減らし、ユーザデータ部の記録容量を増加させることを課題とする。【解決手段】複数の単位記録領域から構成され、各単位記録領域がそのアドレス情報を記録したヘッダ部を備え、前記ヘッダ部が、凹凸パターンからなるエンボスピットで形成された第１ＩＤ部と、記録信号で記録された第２ＩＤ部とからなることを特徴とする。【選択図】  図１
2004171677.tif 000002
【特許請求の範囲】
【請求項１】
複数の単位記録領域から構成され、各単位記録領域がそのアドレス情報を記録したヘッダ部を備え、前記ヘッダ部が、凹凸パターンからなるエンボスピットで形成された第１ＩＤ部と、記録信号で記録された第２ＩＤ部とからなることを特徴とする光情報記録媒体。
【請求項２】
前記第１ＩＤ部と第２ＩＤ部のどちらもが、その単位記録領域のアドレス情報と、情報記録および再生に利用するクロック情報とを格納していることを特徴とする請求項１の光情報記録媒体。
【請求項３】
前記１つの単位記憶領域内において、前記第１ＩＤ部と第２ＩＤ部とが、光の走査方向に対して直列に配置されていることを特徴とする請求項１または２の光情報記録媒体。
【請求項４】
前記１つの単位記録領域内において、前記第１ＩＤ部のアドレス情報を格納している部分と、第２ＩＤ部のアドレス情報を格納している部分とが、光の走査方向に対して並列に配置されていることを特徴とする請求項２の光情報記録媒体。
【請求項５】
前記１つの単位記録領域内において、前記第１ＩＤ部のアドレス情報を格納している部分と、第２ＩＤ部のアドレス情報を格納している部分とが、物理的に重なり合うように形成されていることを特徴とする請求項２の光情報記録媒体。
【請求項６】
前記第１ＩＤ部に格納されたクロック情報により生成されるクロックの周波数が、前記第２ＩＤ部に格納されたクロック情報により生成されるクロックの周波数の整数倍であることを特徴とする請求項２の光情報記録媒体。
【請求項７】
前記第２ＩＤ部が連続して複数個形成されていることを特徴とする請求項６の光情報記録媒体。
【請求項８】
複数の単位記録領域が、複数個の物理トラックに分類して形成され、各単位域録領域がそのアドレス情報を記録したヘッダ部を備え、１つの物理トラックの中において、１つの単位記録領域が、そのヘッダ部が凹凸パターンからなるエンボスピットで形成された第１ＩＤ部のみからなり、他の単位記録領域が、そのヘッダ部が記録信号で記録された第２ＩＤ部のみからなることを特徴とする光情報記録媒体。
【請求項９】
前記各単位記録領域が、ユーザ個有のデータを格納するためのユーザデータ部をさらに備え、前記ユーザ個有のデータは、所定の単位記録領域の前記第１ＩＤ部のアドレス情報と前記第２ＩＤ部のアドレス情報とを読み出して、両アドレス情報が一致するかまたは所定の関係が成立した場合に、その単位記録領域のユーザデータ部に記録されまたはそのユーザデータ部から再生されることを特徴とする請求項２の光情報記録媒体。
【請求項１０】
アドレス情報が凸凹パターンからなるエンボスピットで形成された第１ＩＤ部を有する単位記録領域が複数個備えられた光情報記録媒体において、光ビームを第１ＩＤ部に照射することによりエンボスピットによって反射された光を検出し、光ビームが照射された単位記録領域のアドレス情報を取得し、前記光ビームが照射された単位記録領域内であって、その第１ＩＤ部に隣接する領域に、前記取得されたアドレス情報を含む記録信号を記録することを特徴とする光情報記録媒体のアドレス情報の記録方法。
【請求項１１】
アドレス情報が凸凹パターンからなるエンボスピットで形成された第１ＩＤ部を有する単位記録領域が複数個備えられた光情報記録媒体において、光ビームを第１ＩＤ部に照射することによりエンボスピットによって反射された光を検出し、光ビームが照射された単位記録領域のアドレス情報を取得し、取得されたアドレス情報から、次の単位記録領域のアドレスを計算し、計算されたアドレス単位記録領域の第１ＩＤ部に光ビームを照射し、その第１ＩＤ部のエンボスピットによる反射光を検出することにより、光が照射された単位記録領域が、前記次の単位記録領域であることを確認した後、前記次の単位記録領域内であって、光の走査方向に対して並列な方向であってその第１ＩＤ部に隣接する領域あるいは、前記第１ＩＤ部に物理的に重ね合わせた領域に、前記計算されたアドレスを含む記録信号を記録することを特徴とする光情報記録媒体のアドレス情報の記録方法。
【請求項１２】
前記請求項１乃至９のいずれかに記載した光情報記録媒体にレーザビームを照射する光源と、光情報記録媒体からの反射光を検出する受光部と、光情報記録媒体に対する光源および受光部の相対位置を調整させる駆動部とを備え、前記駆動部が、光源および受光部の位置を調整しながら、前記所定の単位記録領域のヘッダ部に対して、その第１ＩＤ部のエンボスピットの検出とその第２ＩＤ部の記録信号の記録および再生を行うことを特徴とするディスク駆動装置。
【発明の詳細な説明】
【０００１】
【発明の属する技術分野】
この発明は光情報記録媒体に関し、特に、レーザビームを照射して情報の記録および再生を行う媒体の情報記録フォーマットに関する。
【０００２】
【従来の技術】
光情報記録媒体（以下、光ディスクまたは光磁気ディスクとよぶ）は、通常円盤形状であり、記録領域は円心円状の多数のトラックに分けられている。さらに１つのトラックは、所定の単位容量を持ついくつかのセクタに分割されている。１つのセクタは、そのセクタのアドレス情報を記録したヘッダ部と、ユーザのデータを記録したユーザデータ部とから構成される。ヘッダ部は、通常用いられている光ディスクでは、凹凸パターンからなるエンボスピットにより形成されている。
光ディスク駆動装置はユーザデータの記録および再生をする際に、このヘッダ部の情報を読み出して、記録する周波数やセクタのアドレス情報を得ている。
【０００３】
次に、現在用いられている光磁気ディスクの代表的なフォーマットである「ＩＳＯフォーマット（ＩＳＯ／ＩＥＣ−１５０４１，６４０ＭＢフォーマット）」の構成について説明する。
このＩＳＯフォーマットでは、１つのセクタに、５１２バイトまたは２０４８バイトのユーザデータを格納可能なように構成されている。
【０００４】
図１７に、従来のＩＳＯフォーマット（ＩＳＯ／ＩＥＣ−１５０４１、ユーザデータ＝２０４８バイト）におけるセクタの構成図を示す。
１つのセクタは、ヘッダ部（ｈｅａｄｅｒ）１と、ユーザデータ部２とから構成される。ヘッダ部１は、ＳＭ（セクタマーク）（８ｂｙｔｅ），ＶＦＯ１（２ｂｙｔｅ），ＡＭ（アドレスマーク）（１ｂｙｔｅ），ＩＤ１（５ｂｙｔｅ），ＶＦＯ２（１６ｂｙｔｅ），ＡＭ（１ｂｙｔｅ），ＩＤ２（５ｂｙｔｅ），ＰＡ（ポストアンブル）（１ｂｙｔｅ）から構成される。ユーザデータ部２は、ｇａｐ（８ｂｙｔｅ），ＶＦＯ３（２７ｂｙｔｅ），Ｓｙｎｃ（４ｂｙｔｅ），ｄａｔａ（２４５８ｂｙｔｅ），ＰＡ（１ｂｙｔｅ），ｂｕｆｆｅｒ（２３ｂｙｔｅ）から構成される。
【０００５】
このような構成を持つヘッダ部１は、凹凸パターンからなるエンボスピットで形成され、形成後は変更することはできない。
ＳＭ（８ｂｙｔｅ）はセクタの先頭であることを示すマークである。
ＶＦＯ１（２６ｂｙｔｅ）は最密連続パターンであり、これにＰＬＬをロックさせデータ読み出しの周波数を生成するためのものである。
ＡＭ（１ｂｙｔｅ）はアドレスデータの開始位置を示すパターンである。
ＩＤ１（５ｂｙｔｅ）には、アドレス情報が格納されている。
【０００６】
アドレス情報は、トラック番号（２ｂｙｔｅ），セクタ番号（１ｂｙｔｅ），誤り検出符号（ＣＲＣ，２ｂｙｔｅ）からなる。
次に、アドレス情報の読取り誤りがないように、ＶＦＯ２（１６ｂｙｔｅ），ＡＭ（１ｂｙｔｅ），ＩＤ２（５ｂｙｔｅ）の部分には、ＶＦＯ１，ＡＭ，ＩＤ１と同じデータが繰り返し記録されている。
また、ＩＤ１とＩＤ２とを区別するための情報が、セクタ番号（１ｂｙｔｅ）の中の１ビットを用いて記録されている。したがって、セクタ番号は１バイトのうち、この１ビットを除く７ビットで表わされる。
ＩＤ１とＩＤ２に記録されるアドレス情報は、上記１ビットのデータを除いて同じものである。
【０００７】
ヘッダ部の最後のＰＡ（１ｂｙｔｅ）は、ＣＲＣがＩＤ１領域の２バイトに収まりきらなかった場合に使用されるバッファ領域である。
光ディスク駆動装置は、このようなヘッダ部１に固定的に形成された情報を読取りながら、データの記録，再生を行う。
以下に従来の光ディスク駆動装置のヘッダ部１の読み取り手順を示す。
【０００８】
（ステップＳ１）
レーザビームスポットが光ディスク媒体に照射される。このとき、フォーカスエラー信号を用いて媒体面上にフォーカスが合わせられ、トラックエラー信号を用いてレーザビームスポットが記録トラックにトラッキングさせられる。
（ステップＳ２）
レーザビームスポットがセクタ先頭に至ると、ＳＭ信号が検出される。ＳＭは信号強度が大きく、マーク長も長いのでＰＬＬで生成したクロックを用いなくても読み取ることができる。
【０００９】
（ステップＳ３）
ＳＭ信号検出した後、ＳＭ領域のすぐ後の位置のＶＦＯ１の信号を用いて、光ディスク駆動装置はＰＬＬをロックし、データ読み出しのクロックを生成する。（ステップＳ４）
次に、ＶＦＯ１のすぐ後の位置のＡＭの信号を検出し、ＩＤ信号の読み出し位置を確認する。
（ステップＳ５）
次に、ＩＤ信号を検出し、現在注目しているセクタのトラック番号とセクタ番号を読み出す。
（ステップＳ６）
さらに、ＩＤ信号の中のＣＲＣを読み出し、ステップＳ５で読み出したトラック番号とセクタ番号とから生成したＣＲＣと一致するか否か確認する。
【００１０】
（ステップＳ７）
次に、ステップＳ３からＳ６までと同様の処理をして、ヘッダ部１のＶＦＯ２，ＡＭ，ＩＤ２の読み出しとＣＲＣチェックを行う。
すなわち、ＩＤ１とＩＤ２からそれぞれ別々にセクタアドレス情報を得ることができ、ＩＤ１とＩＤ２のどちらか一方の読み取りに失敗しても、以後のデータの記録再生が実行できる。
次に、ユーザデータを図１７の「ｄａｔａ」領域に記録する手順を示す。ユーザデータ領域２の情報（ｇａｐ〜ｂｕｆｆｅｒまで）は、すべて磁気的な情報として記録される。
【００１１】
まず、ＰＡの後ろにあるｇａｐ（８ｂｙｔｅ）を利用して、レーザの発光調整を行う。次に、データ読み出し時のＰＬＬロック用に用いるＶＦＯ３（２７ｂｙｔｅ）、データ読み出し同期用のＳｙｎｃ（４ｂｙｔｅ）を記録した後に、「ｄａｔａ」フィールド（２４５８ｂｙｔｅ）とＰＡ（１ｂｙｔｅ）を記録する。
【００１２】
ここで、「ｄａｔａ」フィールド（２４５８ｂｙｔｅ）の内訳は、ユーザデータが２０４８ｂｙｔｅ，ＣＲＣ，ＥＣＣおよびｒｅｓｙｎｃ（同期信号）が４０２ｂｙｔｅ，コントロール情報が８ｂｙｔｅである。
このユーザデータ領域２の中のＰＡは、エンボスピットで形成したヘッダの中のＰＡと同じ役割を果たす。すなわち、上記データフィールド中のＥＣＣまたはＣＲＣが所定ビット内に収まりきらなかった場合に記録に用いる領域である。
【００１３】
なお、ＰＡの後に、「ｂｕｆｆｅｒ」領域が２３ｂｙｔｅ分設けられる。ｂｕｆｆｅｒには通常データは記録されないが、ディスクの偏心やスピンドル回転数の変動などによるユーザデータ長の変動を吸収するために設けられている。
また、このｂｕｆｆｅｒ領域の直後の位置には、次のセクタのＳＭがエンボスピットで形成されている。
【００１４】
【発明が解決しようとする課題】
ところで、光磁気ディスク媒体において記録線密度を向上させる技術として、磁気超解像（ＭＳＲ：Ｍａｇｎｅｔｉｃ  Ｓｕｐｅｒ  Ｒｅｓｏｌｕｔｉｏｎ）がある。これはレーザビームスポットの温度分布と光磁気記録膜中の交換結合力を利用して、レーザビームの回折限界以下の微小マークを再生する技術である（例えば、特許文献１参照）。
【００１５】
【特許文献１】
特開平７−２４４８７７号公報
【００１６】
ここで、記録再生される微小マークは、磁気的な記録信号である。また、各セクタの先頭部分に形成されたヘッダ部は、通常物理的な凹部と凸部パターンの組合せからなるエンボスピットで形成されている。このエンボスピットの検出は、レーザビームの反射率の変化で行うので、その空間分解能はレーザビームスポットの大きさで決定される。
また、データ読み出しのためのクロックは、エンボスピットで形成されたヘッダ部のＶＦＯ（ＶＦＯ１およびＶＦＯ２）を用いて生成されるので、原理的にはエンボスピットの最密パターン以上の記録密度の記録再生ができないことになる。
【００１７】
そこで、従来の６４０ＭＢ以上の容量を持つ光磁気ディスクでは、エンボスピット（ＶＦＯ）を読み取って生成したクロックを定数倍することにより、ユーザデータの記憶信号を読み取るクロックを生成している。
たとえば、この方法によればヘッダ部の線記録密度を２６３４ｃｈａｎｎｅｌ  ｂｉｔ／ｍｍとした場合、ユーザデータ部の線記録密度を５２６８ｃｈａｎｎｅｌ  ｂｉｔ／ｍｍとすることができる。
【００１８】
しかし、図１７に示したように、ヘッダ部をエンボスピットのみで形成した場合、記録密度を向上させればさせるほど、セクタのヘッダ部のデータ長（バイト数）も増大することになる。
すなわち、ユーザデータを記録できる容量が増加したとしても、アドレス情報を管理する領域も増加するので、ユーザデータの記録領域が有効に利用させるとは言えない。
また、ヘッダ部を構成するＳＭからＰＡまでの情報を磁気的な記録信号で記録する光磁気ディスクも提案されている（たとえば、特許文献２，３，４，５）。
【００１９】
【特許文献２】
特開平５−１０９０７２号公報
【特許文献３】
特開平５−１５９３７６号公報
【特許文献４】
特開平８−２７３２０４号公報
【特許文献５】
特開平９−２１２８７０号公報
【００２０】
しかし、ヘッダ部の情報を記録信号のみで形成した場合は、利用者の故意，過失あるいは装置の誤動作によりヘッダ部の情報が消去されてしまう可能性がある。
このとき、記録されたユーザデータの読み出しが不可能となってしまうという問題がある。
したがってヘッダ部を記録信号のみで形成することは、信頼性がないので採用できない。
【００２１】
そこで、この発明は以上のような事情を考慮してなされたものであり、ヘッダ部の構成を工夫することにより、媒体の記録密度を向上させた場合でも、ヘッダ部の記録容量を減少させることによるユーザデータ領域の容量を相対的に増加させ、ヘッダ部の記録再生の不良を防止することのできる信頼性の高い光情報記録媒体を提供することを課題とする。
【００２２】
【課題を解決するための手段】
この発明は、複数の単位記録領域から構成され、各単位記録領域がそのアドレス情報を記録したヘッダ部を備え、前記ヘッダ部が、凹凸パターンからなるエンボスピットで形成された第１ＩＤ部と、記録信号で記録された第２ＩＤ部とからなることを特徴とする光情報記録媒体を提供するものである。
これにより、各単位記録領域のアドレス情報を記録した領域を減少させることができるので、相対的にユーザデータの記録容量を増やすことができる。
【００２３】
ここで、単位記録領域とは、光ディスクや光磁気ディスクなどで用いられている「セクタ」を意味する。
エンボスピットは、媒体の基板上に形成された物理的な凹凸パターンであり、固定的に形成されるものである。
この発明において、記録信号とは、光学的方法、光磁気的方法、あるいは磁気的方法などによって、媒体上に書き込まれる信号であり、エンボスピットのように固定的情報ではなく、不揮発性を有して書き換え可能なように記録される情報を意味する。
【００２４】
【発明の実施の形態】
この発明では、前記第１ＩＤ部と第２ＩＤ部のどちらもが、その単位記録領域のアドレス情報と、情報記録および再生に利用するクロック情報とを格納していることを特徴とする。
さらに、前記１つの単位記憶領域内において、前記第１ＩＤ部と第２ＩＤ部とが、光の走査方向に対して直列に配置されるようにしてもよい。
【００２５】
また、前記１つの単位記録領域内において、少なくとも前記第１ＩＤ部のアドレス情報を格納している部分と、第２ＩＤ部のアドレス情報を格納している部分とが、光の走査方向に対して並列に配置されるようにしてもよく、あるいは、物理的に重なり合うように形成されるようにしてもよい。
【００２６】
この発明では、前記第１ＩＤ部に格納されたクロック情報により生成されるクロックの周波数は、前記第２ＩＤ部に格納されたクロック情報により生成されるクロックの周波数の整数倍とすることが好ましい。
この発明の光情報記録媒体において、前記第２ＩＤ部が連続して複数個形成されるようにしてもよい。
【００２７】
また、この発明は、複数の単位記録領域が、複数個の物理トラックに分類して形成され、各単位域録領域がそのアドレス情報を記録したヘッダ部を備え、１つの物理トラックの中において、１つの単位記録領域が、そのヘッダ部が凹凸パターンからなるエンボスピットで形成された第１ＩＤ部のみからなり、他の単位記録領域がそのヘッダ部が記録信号で記録された第２ＩＤ部のみからなることを特徴とする光情報記憶媒体を提供するものである。
【００２８】
さらに、前記各単位記録領域が、ユーザ個有のデータを格納するためのユーザデータ部をさらに備え、前記ユーザ個有のデータは、所定の単位記録領域の前記第１ＩＤ部のアドレス情報と前記第２ＩＤ部のアドレス情報とを読み出して、両アドレス情報が一致するかまたは所定の関係が成立した場合に、その単位記録領域のユーザデータ部に記録されまたはそのユーザデータ部から再生されるようにしてもよい。
【００２９】
また、この発明は、アドレス情報が凸凹パターンからなるエンボスピットで形成された第１ＩＤ部を有する単位記録領域が複数個備えられた光情報記録媒体において、光ビームを第１ＩＤ部に照射することによりエンボスピットによって反射された光を検出し、光ビームが照射された単位記録領域のアドレス情報を取得し、前記光ビームが照射された単位記録領域内であって、その第１ＩＤ部に隣接する領域に、前記取得されたアドレス情報を含む記録信号を記録することを特徴とする光情報記録媒体のアドレス情報の記録方法を提供するものである。
【００３０】
さらに、アドレス情報が凸凹パターンからなるエンボスピットで形成された第１ＩＤ部を有する単位記録領域が複数個備えられた光情報記録媒体において、光ビームを第１ＩＤ部に照射することによりエンボスピットによって反射された光を検出し、光ビームが照射された単位記録領域のアドレス情報を取得し、取得されたアドレス情報から、次の単位記録領域のアドレスを計算し、計算されたアドレス単位記録領域の第１ＩＤ部に光ビームを照射し、その第１ＩＤ部のエンボスピットによる反射光を検出することにより、光が照射された単位記録領域が、前記次の単位記録領域であることを確認した後、前記次の単位記録領域内であって、光の走査方向に対して並列な方向であってその第１ＩＤ部に隣接する領域あるいは、前記第１ＩＤ部に物理的に重ね合わせた領域に、前記計算されたアドレスを含む記録信号を記録することを特徴とする光情報記録媒体のアドレス情報の記録方法を提供するものである。
【００３１】
また、この発明は、この発明の光情報記録媒体にレーザビームを照射する光源と、光情報記録媒体からの反射光を検出する受光部と、光情報記録媒体に対する光源および受光部の相対位置を調整させる駆動部とを備え、前記駆動部が、光源および受光部の位置を調整しながら、前記所定の単位記録領域のヘッダ部に対して、その第１ＩＤ部のエンボスピットの検出とその第２ＩＤ部の記録信号の記録および再生を行うことを特徴とするディスク駆動装置を提供するものである。
【００３２】
以下、図面に示す実施の形態に基づいてこの発明を詳述する。なお、これによってこの発明が限定されるものではない。
以下の実施例では、光情報記録媒体のうち、光磁気ディスクをもとに説明する。ただし、以下に示す媒体の構成等について、光情報記録媒体の他の記録材料を用いた媒体にも適用できる。
たとえば、相変化材料や有機色素を用いた光ディスクにも適用できる。後述するように、光磁気ディスクでは、ヘッダ部（以下、ＩＤ領域とも呼ぶ）の情報を光磁気的に書き換え可能な光磁気記録信号として記録する場合があるが、相変化材料を用いた媒体の場合は、この光磁気記録信号の代りに、相変化記録信号と読みかえればよい。
【００３３】
〔実施例１〕
ここでは、光磁気ディスクの図１７に示したＩＳＯフォーマットのヘッダ部１の情報のうち、前半部分の情報（ＳＭ，ＶＦＯ１，ＡＭ，ＩＤ１）を凹凸パターンからなるエンボスピットで形成し、後半部の情報（ＶＦＯ２，ＡＭ，ＩＤ２，ＰＡ）を、記録信号として書き込む実施例について説明する。
【００３４】
光磁気ディスクの一実施例として、次のような特性値を持つものを対象とする。
2004171677.tif 000003
ヘッダ部１の最短マーク長は、ユーザデータ部２の６倍の長さであり、ヘッダ部のチャネルクロックはユーザデータ部の１／６である。
【００３５】
図１に、この発明の光磁気ディスクの実施例１のヘッダ部の構成図を示す。
図１は、１つのセクタの中のヘッダ部分のみを示しており、最も右側のＰＡの右方に、そのセクタのユーザデータ部２が続いている。
図１において、ヘッダ部１は、エンボスピットで固定形成された第１ＩＤ部１１と、磁気的な記録信号で記録される第２ＩＤ部１２とで構成される。第１ＩＤ部１１は、ＳＭ（４８ｂｙｔｅ），ＶＦＯ１（１５６ｂｙｔｅ），ＡＭ（６ｂｙｔｅ），ＩＤ１（３０ｂｙｔｅ），ＰＡ（６ｂｙｔｅ）の各領域から構成される。
ここで、ＰＡは、図１７の従来のＩＳＯフォーマットにはないが、エンボスピットの右端を認識するために利用される領域であり、必須の領域である。
この第１ＩＤ部１１は、合計２４６ｂｙｔｅのデータからなる。
【００３６】
第２ＩＤ部１２は、ＶＦＯ２（１６ｂｙｔｅ），ＡＭ（１ｂｙｔｅ），ＩＤ２（５ｂｙｔｅ），ＰＡ（１ｂｙｔｅ）の各領域から構成される。
この第２ＩＤ部１２は、ディスクの出荷前に記録信号として記録される。ただし、媒体を購入した利用者がフォーマットする際に、この第２ＩＤ部１２を記録するようにしてもよい。
第２ＩＤ部１２は、合計２３ｂｙｔｅのデータからなる。したがって、ヘッダ部１全体では、２４６＋２３＝２６９ｂｙｔｅのデータからなる。
【００３７】
一方、この光磁気ディスクと同様の仕様を持つヘッダ部１を、従来のようにエンボスピットのみで形成した場合には、図１８に示すような構成となる。すなわち、ヘッダ部１は、ＳＭ（４８ｂｙｔｅ），ＶＦＯ１（１５６ｂｙｔｅ），ＡＭ（６ｂｙｔｅ），ＩＤ１（３０ｂｙｔｅ），ＶＦＯ２（９６ｂｙｔｅ），ＡＭ（６ｂｙｔｅ），ＩＤ２（３０ｂｙｔｅ），ＰＡ（６ｂｙｔｅ）で構成され、総データ長は３７８ｂｙｔｅである。
【００３８】
ここで、図１８では、ＶＦＯ２〜ＰＡはエンボスピットで形成されるので、これらの情報を検出するためには図１の記録信号で記録される場合よりも長いバイト数を必要とする。たとえば、ＶＦＯ２の領域は、記録信号の場合１６ｂｙｔｅでよいが、エンボスピットの場合は９６ｂｙｔｅ分必要となる。
したがって、ヘッダ部１のデータ長について従来は３７８ｂｙｔｅ必要であったのに対し、この発明の実施例では２６９ｂｙｔｅでよいので、２８．８％節約でき、ヘッダ部１の長さを７１．２％にできる。
【００３９】
次に、この発明の実施例１の媒体に、ヘッダ部の第２ＩＤ部１２を記録する手順を説明する。
ここで、エンボスピットとしてすでに形成されているヘッダ情報の読み取りや、磁気的な記録信号として記憶されるヘッダ情報の書き込みは従来から用いられているディスク駆動装置をそのまま用いることができる。ヘッダ部の第２ＩＤ部１２の情報も、ユーザデータ部２にデータを記録するのと同様の処理をすることにより記憶することができる。
【００４０】
この第２ＩＤ部１２の情報の記録は、ユーザが初期化処理を実行したときに行われる。具体的には、ディスク駆動装置に組み込まれたＣＰＵが、ＲＯＭ等に格納された制御プログラムに基づいて、各ハードウェアを動作させることにより行われる。
【００４１】
図２に、この発明の実施例１の第２ＩＤ部１２の記録手順を示す。
図１５は、この実施例１の主要記録手順について、ビームスポットの動きと記録処理等についての模式図を示す。
まず、ステップＳ１１において、レーザビームスポットを光ディスク媒体に照射する。フォーカスエラー信号を用いて媒体面上にフォーカスを合せ、トラックエラー信号を用いレーザビームスポットを記録しようとするトラックにトラッキングする。
【００４２】
ステップＳ１２において、レーザビームスポットをトラックにそってスキャンすると、セクタ先頭に至り、図１に示した第１ＩＤ部１１のＳＭ信号（４８ｂｙｔｅ）を検出する。ＳＭは信号強度が大きく、マーク長も長いのでＰＬＬで生成したクロックを用いずとも読み取ることができる。
ステップＳ１３において、ＳＭ信号検出の後、ＶＦＯ１（１５６ｂｙｔｅ）を検出する。ディスク駆動装置はＶＦＯ１の信号を読み取りＰＬＬをロックし、データ読み出しのクロックを生成する。
【００４３】
ステップＳ１４において、ＡＭ信号（６ｂｙｔｅ）を検出する。これによりＩＤ１信号読み出し位置を確定する。
ステップＳ１５において、ＩＤ１信号およびＰＡ信号を検出する。まずＩＤ１信号の中のトラック番号（１２ｂｙｔｅ）、続いてセクタ番号（６ｂｙｔｅ）を読み取る。
【００４４】
次にステップＳ１６において、ＣＲＣ（１２ｂｙｔｅ）を読み取る。そしてステップＳ１７において、ステップＳ１５で読み取ったトラック番号とセクタ番号より生成したＣＲＣと、検出したＣＲＣが一致するかどうか確認する。一致しなかった場合は、フォーカス、トラック異常により検出が失敗している可能性があるため、再度フォーカシング、トラッキングをやり直し、上記手順（Ｓ１１〜Ｓ１６）を再度行う。読み取りエラーが起きなかった場合、上記手順により、現在ビームがスキャンしているトラック位置、セクタ位置を確認することができる。
【００４５】
ＣＲＣが一致している場合、ステップＳ１８において、現在のトラックのセクタ位置からディスクの最先頭トラックへジャンプする。すなわち、光ビームの光源や光検出器などからなる光学ユニットを移動させる。
ここで最先頭トラックとは、たとえば最外周のトラックからユーザデータを書き始める形式のディスクの場合は、最外周のトラックを意味する。
また、最内周のトラックから書き始める形式のディスクでは最内周トラックを意味する。
【００４６】
次に、ステップＳ１９において、最先頭トラックの中の最先頭セクタをスキャンし、前記したステップＳ１２からＳ１４までと同様にして、最先頭セクタの第１ＩＤ部１１のＩＤ１を検出する。
ステップＳ２０において、最先頭セクタの第１ＩＤ部１１のＰＡを検出し、このＰＡの終了部分を確認する。
ステップＳ２１において、このＰＡの後の領域、すなわち、最先頭セクタの第２ＩＤ部１２に相当する領域に、各情報を書き込む。
この実施例１では、ＶＦＯ２（１６ｂｙｔｅ），ＡＭ（１ｂｙｔｅ），ＩＤ２（５ｂｙｔｅ），ＰＡ（１ｂｙｔｅ）を、光磁気的な記録方式により、記録信号として書き込む。
【００４７】
ただし、これらの情報を書き込むためには、レーザの発光調整を行う必要があるため、ＰＡの後のギャップを用いて、まず記録パワーの調整を行う。そして再度最先頭トラックの最先頭セクタのＩＤ１を検出した後に、ＰＡ信号の終了位置を確認して、第２ＩＤ部１２の各情報の書込みを行うようにする。
この第２ＩＤ部１２の書き込みは、ＶＦＯ１により生成したクロックを６倍したクロックで行う。これにより高密度の記録をすることができる。
【００４８】
以上のステップＳ１９からＳ２１までに示した処理を、媒体の中のすべてのセクタに対して行う（ステップＳ２２）。
すなわち、全セクタの第２ＩＤ部１２に、記録信号（ＶＦＯ２，ＡＭ，ＩＤ２，ＰＡ）を書き込むことにより、いわゆる媒体の初期化が終了する。
【００４９】
媒体フォーマットがＺｏｎｅＣＡＶまたはＺｏｎｅＣＬＶの場合は、まず最先頭ゾーンの中の先頭セクタから最終セクタまでについて、前記したステップＳ１８からＳ２２の処理を行う。その後に、次のゾーンの中の全セクタについて同様の処理を行い、ゾーンごとに第２ＩＤ部１２の書き込みを行っていけばよい。
【００５０】
この発明の実施例１では、第２ＩＤ部１２を記録信号を用いて作成しているので、この第２ＩＤ部分１２のデータ長を節約でき、したがって、媒体の中のヘッダ部の占める割合を減らすことができ、従来よりもユーザデータの記録容量を増加させることができる。
【００５１】
〔実施例２〕
ここでは、１つのトラックのヘッダ部を上下２つに分割して、一方にエンボスピットのヘッダ情報を記録し、他方に記録信号によるヘッダ情報を記録する実施例について説明する。
図３に、この発明の実施例２のヘッダ部の構成図を示す。
図３において、第１ＩＤ部１１は、実施例１と同様に、エンボスピットで形成され、ＳＭ（４８ｂｙｔｅ），ＶＦＯ１（１５６ｂｙｔｅ），ＡＭ（６ｂｙｔｅ），ＩＤ１（３０ｂｙｔｅ），ＰＡ（６ｂｙｔｅ）から構成される。合計２４６ｂｙｔｅである。
【００５２】
ただし、ＳＭのみトラックの幅方向全体（紙面の上下方向）を利用して形成されるのに対し、ＶＦＯ１，ＡＭ，ＩＤ１，ＰＡは、トラック幅のほぼ半分の領域のみを使用して形成される。
ここで、信号の記録再生の際、ビームスポットをトラック中心よりずらす事によりＶＦＯ１等をトラック幅のほぼ半分のサイズとしてもヘッダ部１の読み出し及び第２ＩＤ部１２の記録信号の書き込みは問題なくできる。
【００５３】
また、図３において、エンボスピットで形成されたＳＭの後であって、エンボスピットで形成されたＶＦＯ１〜ＰＡの下半分に、記録信号で記録された第２ＩＤ部１２が形成される。
ここで、記録信号で記録される第２ＩＤ部１２は、ＶＦＯ１−ｍｏ（２６ｂｙｔｅ），ＡＭ−ｍｏ（１ｂｙｔｅ），ＩＤ１−ｍｏ（５ｂｙｔｅ），ＶＦＯ２−ｍｏ（１６ｂｙｔｅ），ＡＭ−ｍｏ（１ｂｙｔｅ），ＩＤ２−ｍｏ（５ｂｙｔｅ），ＰＡ（１ｂｙｔｅ）の、合計５５ｂｙｔｅとする。
【００５４】
記録信号は、エンボスピットの６倍のクロックで書き込まれるので、エンボスピットで形成されたＶＦＯ１からＰＡまでのデータ長に対して、記録信号で形成されたＶＦＯ１−ｍｏからＰＡ−ｍｏまでのデータ長は、十分に短い。
したがって、１セクタあたりのヘッダ部１のデータ長は２４６ｂｙｔｅであり、実施例１よりもさらに短く、図１８に示した従来のものに対して約６５．１％程度の長さとなる。すなわち、媒体に占めるヘッダ部の領域面積を減少させ、ユーザデータの記録容量を増やすことができる。
【００５５】
ＶＦＯ２−ｍｏからＰＡ−ｍｏまでのデータ長は、実施例１と同様である。
また、この実施例２において、ＶＦＯ２からＰＡの他に、ＶＦＯ１−ｍｏ，ＡＭ−ｍｏ，ＩＤ１−ｍｏを記録信号で記録するのは、ヘッダ情報の読み取り誤りを低減させるためである。
【００５６】
次に、実施例２の媒体に、第２ＩＤ部１２を記録する手順を説明する。
図４に、この発明の実施例２の第２ＩＤ部１２の記録手順を示す。
図１６に、実施例２の主要記録手順のビームスポットの動き等の模式図を示す。
まず、ステップＳ３１において、レーザビームを照射し、トラッキングを行い、実施例１のステップＳ１１〜Ｓ１７と同様の処理をして、スキャンしているセクタ位置を特定する。
次に、ステップＳ３２において、最先頭トラックへジャンプする。
【００５７】
ステップＳ３３において、最先頭トラックの最先頭セクタの検出を行う。
ここで、まず、この最先頭セクタのＳＭを検出する。次に、その後のＶＦＯ１を検出してＰＬＬをロックしてクロックを生成し、さらにＡＭ信号，ＩＤ１，ＰＡを検出する。次にステップＳ１５，Ｓ１６，Ｓ１７と同様にして、最先頭セクタのＩＤ１の中のトラック番号，セクタ番号を読み取り、ＣＲＣの確認を行い、現在のセクタが最先頭トラックの最先頭セクタであることを確認する。
【００５８】
ステップＳ３４において、ＳＭの後のギャップを用いて、レーザビームをエンボスピットの形成されている方からオフトラックさせ、記録信号の記録のために、レーザビームの発光調整（記録パワーの調整）を行う。
ステップＳ３５において、最先頭セクタの次に位置するセクタのＳＭを検出する。これは最先頭セクタの次のセクタに記録信号を書込むためである。
【００５９】
この実施例２では、記録信号を書き込もうとするセクタの位置を確認するために、そのセクタの前のセクタのＩＤ１を確認する必要があるので、最先頭セクタの中には、第２ＩＤ部１２の情報を書き込むことはできない。ただし、ヘッダ部の情報の読み取り誤りを低減させるために、この最先頭トラックの最先頭セクタのみには、図１７に示したような従来と同様の構成のエンボスピットを形成しておいてもよい。
【００６０】
この次のセクタのＳＭの終了を確認した後、ステップＳ３６において、そのセクタの第２ＩＤ部１２の情報を、光磁気的に記録信号で書込む。
すなわち、図３に示したような、ＶＦＯ１−ｍｏ（２６ｂｙｔｅ），ＡＭ−ｍｏ（１ｂｙｔｅ），ＩＤ１−ｍｏ（５ｂｙｔｅ），ＶＦＯ２−ｍｏ（１６ｂｙｔｅ），ＡＭ−ｍｏ（１ｂｙｔｅ），ＩＤ２−ｍｏ（５ｂｙｔｅ），ＰＡ−ｍｏ（１ｂｙｔｅ）を順次書き込む。
このときの書込みクロックは、最先頭セクタのＶＦＯ１により生成したクロックを６倍したものを用いる。
以上の処理により、まず、最先頭トラックの最先頭セクタの次のセクタに対して、第２ＩＤ部１２の情報が書込まれた。
【００６１】
次に、上記「最先頭セクタの次のセクタ」のＶＦＯ１等の情報を利用して、さらにその次のセクタに対してステップＳ３５，Ｓ３６の処理を行い、そのセクタの第２ＩＤ部１２の情報を書き込む。以後、順次ステップＳ３５，Ｓ３６の処理を残りのすべてのセクタに対して実行し、全セクタについての第２ＩＤ部１２の情報を書き込む（ステップＳ３７）。
【００６２】
以上の処理により、この実施例２の媒体の初期化が終了する。
この実施例２でも、各セクタのヘッダ部のデータ長を従来よりも節約できるので、ユーザデータの記録容量を増加させることができる。
【００６３】
〔実施例３〕
ここでは、エンボスピットで形成された第１ＩＤ部１１の位置と、記録信号で記録された第２ＩＤ部１２との位置を重ね合わせて配置した実施例について説明する。
第１ＩＤ部１１および第２ＩＤ部１２の情報のそれぞれの構成は、実施例２と同じである。
【００６４】
図５に、この発明の実施例３のヘッダ部の構成図を示す。
図５（ａ）は、実施例３のヘッダ部の物理的な配置例を示しており、図５（ｂ）は、説明のために、物理的に重ね合わせられる第１ＩＤ部１１と第２ＩＤ部１２とを分割して記載した図である。
図５（ａ）において、エンボスピットで形成される（ＳＭ，ＶＦＯ１，ＡＭ，ＩＤ１，ＰＡ）からなる第１ＩＤ部１１と、記録信号で形成される（ＶＦＯ１−ｍｏからＰＡ−ｍｏまでの部分）からなる第２ＩＤ部１２とは物理的に重ね合わせて形成される。
【００６５】
図５（ａ）は模式的なもので、両ＩＤ部の左右方向のデータ長は正確ではないが、エンボスピットで形成されたＶＦＯ１（１５６ｂｙｔｅ），ＡＭ（６ｂｙｔｅ）およびＩＤ１（３０ｂｙｔｅ）の部分に重ね合わせられて、記録信号で記録されたＶＦＯ１−ｍｏ（２６ｂｙｔｅ），ＡＭ−ｍｏ（１ｂｙｔｅ），ＩＤ１−ｍｏ（５ｂｙｔｅ），ＶＦＯ２−ｍｏ（１６ｂｙｔｅ），ＡＭ−ｍｏ（１ｂｙｔｅ），ＩＤ２−ｍｏ（５ｂｙｔｅ），ＰＡ−ｍｏ（１ｂｙｔｅ）からなる第２ＩＤ部１２が、形成された状態を示している。
【００６６】
このように両ＩＤ部（１１，１２）を物理的に重ね合わせて形成しても、エンボスピットは光の反射率の変化で検出でき、記録信号は、光磁気的な作用により検出できるので、どちらのヘッダ情報とも読み出すことができる。
また、物理的な凹凸パターンとして形成されたエンボスピットの位置に、磁性膜を形成しておけば、表面上に物理的な凹凸があっても光磁気的に記録信号を書き込むことができる。
また、実施例１，２と同様に、記録信号の書込みクロックは、エンボスピットのクロックと異ならせて記録することができる。
【００６７】
図５（ｂ）に示すように、この実施例３の場合も、ヘッダ部１のデータ長は、第１ＩＤ部１１の長さにより決定される。両ＩＤ部の構成および各情報のバイト数は実施例２と同じであり、第１ＩＤ部１１のデータ長が２４６ｂｙｔｅ、第２ＩＤ部１２のデータ長が５５ｂｙｔｅであるので、ヘッダ部１のデータ長は２４６ｂｙｔｅとなり、実施例２と同様に、従来に比べてヘッダ部は６５．１％のデータ長となる。
【００６８】
次に、実施例３の媒体に、第２ＩＤ部１２を記録する手順を説明する。
この発明の実施例３の第２ＩＤ部１２の記録手順は、図４に示した手順とほぼ同様である。この場合も、出荷時またはユーザの初期化操作が行われたときに、記録信号の書込み以下の処理が実行される。
【００６９】
図５に示す実施例３の媒体では、第１ＩＤ部１１の位置に対して左右方向の同一線上に第２ＩＤ部１２の記録信号が書き込まれることになるが、実施例２と同様に、記録するセクタの位置を確認するために、まずその記録するセクタの前のセクタのＩＤ１を確認する必要がある。
さらに、この前のセクタの第１ＩＤ部の情報を検出した後、その第１ＩＤ部１１の後に設けられたギャップ（図示せず）を用いて、レーザビームの発光調整も必要となる。したがって、この実施例３においても、図４に示したステップＳ３１からＳ３４の処理が実行される。
【００７０】
また、セクタの第２ＩＤ部１２の書込み処理（ステップＳ３５〜Ｓ３７）も同様であるが、実施例３の場合は、書込むセクタのＳＭの終了を検出した後、そのすぐ隣のＶＦＯ１のエンボスピットが形成されている位置から、記録信号が書込まれることになる。
なお、実施例３でも、記録信号は、前セクタのＶＦＯ１により生成したクロックを６倍したクロックを用いて書き込む。
実施例３においても、実施例２と同様に、ヘッダ部１のデータ長の節約ができ、ユーザデータ領域を増加させることができる。
【００７１】
〔実施例４〕
ここでは、１つの論理トラックの中の先頭セクタのみ、すべてのヘッダ情報をエンボスピットにより形成し、残りのセクタは、ＳＭ信号のみエンボスピットで形成し、かつ他のヘッダ部の情報は記録信号で記録する実施例について説明する。
図６に、この発明の実施例４のヘッダ部の構成図を示す。
【００７２】
一般に１つの論理トラックは１７のセクタにより構成されるが、その先頭セクタのみ、ヘッダ部１５の情報をすべてエンボスピットで形成する。この先頭セクタのヘッダ部１５は、ＳＭ（４８ｂｙｔｅ），ＶＦＯ１（１５６ｂｙｔｅ），ＡＭ（６ｂｙｔｅ），ＩＤ１（３０ｂｙｔｅ），ＰＡ（６ｂｙｔｅ）で構成され、さらに、ｇａｐ（４８ｂｙｔｅ）が含まれる。すなわち、先頭セクタのヘッダ部１５の情報は、ＳＭからＰＡまでの２４６ｂｙｔｅであるが、ｇａｐ（４８ｂｙｔｅ）を含むとデータ長は２９４ｂｙｔｅとなる。
【００７３】
一方、この先頭セクタ以外のセクタのヘッダ部１６は、ＳＭ（４８ｂｙｔｅ）のみがエンボスピットで形成され、ＶＦＯ１（２６ｂｙｔｅ），ＡＭ（１ｂｙｔｅ），ＩＤ１（５ｂｙｔｅ），ＰＡ（１ｂｙｔｅ）は、光磁気的な記録信号により記録される。先頭セクタ以外のセクタのヘッダ部１６は、ＳＭからＰＡまでの８１ｂｙｔｅで形成され、ＶＦＯ１からＰＡまでの情報は１つ前のセクタのエンボスピットで形成されたＶＦＯ１（１５６ｂｙｔｅ）により生成したクロックを６倍したクロックで書込まれる。
【００７４】
この実施例４では、１つの論理セクタに対して、その先頭セクタのヘッダ部１５のデータ長＝２４６＋４８＝２９４ｂｙｔｅ，先頭セクタ以外のヘッダ部１６のデータ長＝８１ｂｙｔｅとなる。したがって、実際の情報が記録されないｇａｐ部分を除いた１セクタ当たりの平均のデータ長は約９０．７ｂｙｔｅとなる。図１８に示した従来の媒体のヘッダ部のデータが３７８ｂｙｔｅであったのに比べると、ヘッダ部の平均データ長は９０．７ｂｙｔｅであるので、約２４％の長さとなる。
したがって、媒体に対するセクタのヘッダ部の占める割合を従来の約１／４程度にまで節約できるので、ユーザデータ部に記録できる容量を増加させることができる。
【００７５】
図７に、この実施例４の１論理トラックにおけるセクタの構成図を示す。
図７に示すように、実施例４では、１論理トラックの先頭セクタのみが、エンボスピットのみで形成されたヘッダ部１５を有する。先頭セクタを除く他のセクタのヘッダ部１６は、ＳＭだけがエンボスピットで形成されている。
初期化をする前は、ヘッダ部１６のＳＭの後には何も情報は記録されていない。初期化処理を実行することにより、先頭セクタを除く他のセクタのヘッダ部１６の中にＶＦＯ１からＰＡの記録信号が書き込まれる。
【００７６】
次に、この発明の実施例４の先頭セクタ以外のヘッダ部１６にヘッダ情報を記録する手順について説明する。
この実施例４では、各論理トラックの先頭セクタには、図６に示すようなＳＭからＰＡまでの情報がエンボスピットで予め形成され、ＰＡの後にｇａｐ（４８ｂｙｔｅ）が設けられているものとする。
【００７７】
図８に、この発明の実施例４の先頭セクタ以外のヘッダ部１６の記録手順を示す。
まず、ステップＳ４１において、レーザビームスポットを光ディスク媒体に照射する。フォーカスエラー信号を用いて媒体面上にフォーカスを合わせ、トラックエラー信号を用いレーザビームスポットを記録しようとするトラックにトラッキングする。
【００７８】
次に、ステップＳ４２において、レーザビームスポットをトラックにそってスキャンすると、セクタ先頭に至りそのＳＭ信号（４８ｂｙｔｅ）を検出する。ＳＭは信号強度が大きく、マーク長も長いのでＰＬＬで生成したクロックを用いずとも読み取ることができる。
ステップＳ４３において、ＳＭの後のＶＦＯ１を検出しにいくが、スキャンされたセクタが論理トラックの先頭セクタであれば、このＶＦＯ１（１５６ｂｙｔｅ）が検出される。しかし、先頭セクタでない場合は、ＶＦＯ１を検出できないので、ＶＦＯ１が検出できるまで、順次他のセクタをスキャンする。
【００７９】
ステップＳ４３において、ＶＦＯ１が検出されると、ディスク駆動装置はＶＦＯ１の信号を読み取り、ＰＬＬをロックし、データの読み出しのクロックを生成する。
ステップＳ４４において、ＡＭ信号（６ｂｙｔｅ）を検出する。これによりＩＤ信号読み出し位置を確定する。
ステップＳ４５において、ＩＤ１信号およびＰＡ信号を検出する。ここでは、まずＩＤ１信号の中のトラック番号（１２ｂｙｔｅ）、続いてセクタ番号（６ｂｙｔｅ）を読み取る。
【００８０】
次に、ステップＳ４６において、ＣＲＣ（１２ｂｙｔｅ）を読み取る。そして、ステップＳ４７において、ステップＳ４５で読み取ったトラック番号とセクタ番号より生成したＣＲＣと、読み取ったＣＲＣが一致するかどうか確認する。一致しなかった場合は、フォーカス、トラック異常により検出が失敗している可能性があるため、再度フォーカシング、トラッキングをやり直し、上記手順（Ｓ４１〜Ｓ４６）を再度行う。読み取りエラーが起きなかった場合、上記手順により、現在ビームがスキャンしているトラック位置、セクタ位置を確認することができる。ＣＲＣが一致している場合、ステップＳ４８へ進み、現在のトラックのセクタ位置から、ディスクの最先頭トラック（たとえば最外周トラック）へジャンプする。
【００８１】
次にステップＳ４９において、最先頭トラックの中の最先頭セクタをスキャンし、前記手順（Ｓ４２〜Ｓ４４）と同様にしてそのセクタのヘッダ部１５のＳＭ，ＶＦＯ１，ＡＭおよびＩＤ１の検出を行い、そのセクタのアドレス番号を取得する。
次に、ステップＳ５０において、取得したアドレス番号から次のセクタのアドレス番号を計算する。
ステップＳ５１において、記録信号の書込みの準備として、ＰＡの後のｇａｐ（４８ｂｙｔｅ）を利用して、レーザビームの発光調整を行う。
【００８２】
ステップＳ５２において、引き続いて、最先頭トラックの最先頭セクタの次のセクタをスキャンし、このセクタのヘッダ部１６のＳＭ信号を検出する。
ステップＳ５３において、ＳＭ信号の終了位置を確認した後、そのセクタのヘッダ部１６のＶＦＯ１（２６ｂｙｔｅ），ＡＭ（１ｂｙｔｅ），ＩＤ１（５ｂｙｔｅ），ＰＡ（１ｂｙｔｅ）を、光磁気的に書込む。
この記録信号の書込みは、前セクタのＶＦＯ１により生成したクロックの６倍のクロックに同期させて行う。
以上により、最先頭トラックの最先頭セクタの次のセクタに対するヘッダ部１６の情報が書き込まれた。
【００８３】
次に、ステップＳ５４において、その他のセクタに対してステップＳ５２およびＳ５３の処理を実行することにより、そのセクタのヘッダ部１６の情報を書き込んでいく。すなわち、残りの全セクタに対して、ステップＳ５２，Ｓ５３の処理により記録信号を書込み、初期化を終了する。
【００８４】
媒体フォーマットがＺｏｎｅＣＡＶまたはＺｏｎｅＣＬＶの場合は、実施例１に示したのと同様に、ゾーンごとに、ステップＳ４８からＳ５４までの処理を行えばよい。
実施例４において、図６，図７では、各セクタのヘッダ部には、アドレス情報を一回のみ記録したが、アドレス情報読み取り精度を高めるために、データ長は長くなるが複数回記録してもよい。
たとえば、先頭セクタのヘッダ部１５は、すべてエンボスピットで形成し、ＳＭ（４８ｂｙｔｅ），ＶＦＯ１（１５６ｂｙｔｅ），ＡＭ（６ｂｙｔｅ），ＩＤ１（３０ｂｙｔｅ），ＶＦＯ２（９６ｂｙｔｅ），ＡＭ（６ｂｙｔｅ），ＩＤ２（３０ｂｙｔｅ），ＰＡ（６ｂｙｔｅ）の合計３７８ｂｙｔｅとしてもよい。
【００８５】
また、同一論理トラックの他のセクタのヘッダ部１６は、ＳＭ（４８ｂｙｔｅ），ＶＦ０１（２６ｂｙｔｅ），ＡＭ（１ｂｙｔｅ），ＩＤ１（５ｂｙｔｅ），ＶＦ０２（１６ｂｙｔｅ），ＡＭ（１ｂｙｔｅ），ＩＤ２（１ｂｙｔｅ），ＰＡ（１ｂｙｔｅ）の合計１０３ｂｙｔｅとしてもよい。ここでヘッダ部１６のＳＭのみがエンボスピットで、他の情報は、記録信号で記録する。この場合は、１論理トラックの１セクタ当たりの平均データ長は、約１１９ｂｙｔｅとなる。
なお、１論理トラックの先頭セクタのヘッダ部のみを、すべてエンボスピットで形成されたものとしたが、１物理トラックごとに、その先頭セクタのヘッダ部のみをすべてエンボスピットで形成するようにしてもよい。
【００８６】
〔実施例５〕
ここでは、図１に示した実施例１のヘッダ部の構成から、ＶＦＯ１とＶＦＯ２を除去した構成のヘッダ部について説明する。
図９に、実施例５のヘッダ部の構成図を示す。
実施例５では、すべてのセクタに対して、図９に示すようなＳＭ（４８ｂｙｔｅ），ＡＭ（６ｂｙｔｅ），ＩＤ１（３０ｂｙｔｅ），ＰＡ（６ｂｙｔｅ），ＡＭ（１ｂｙｔｅ），ＩＤ２（５ｂｙｔｅ），ＰＡ（１ｂｙｔｅ）からなるヘッダ部１を設ける。
ここで、前半の第１ＩＤ部１１（ＳＭ，ＡＭ，ＩＤ１，ＰＡ）が、エンボスピットで形成され、後半の第２ＩＤ部１２（ＡＭ，ＩＤ２，ＰＡ）が記録信号で記録される。実施例５のヘッダ部１は、９０ｂｙｔｅのエンボスピットと、７ｂｙｔｅの記録信号とから構成され、そのデータ長は合計９７ｂｙｔｅである。
【００８７】
この実施例５のヘッダ部１と同等の構成を、従来のようにエンボスピットのみで形成したとすると、図１９に示すような構成となる。
図１９によれば、後半部分のＡＭ，ＩＤ２，ＰＡもエンボスピットで形成されるので、この部分についてＡＭ（６ｂｙｔｅ），ＩＤ２（３０ｂｙｔｅ），ＰＡ（６ｂｙｔｅ）必要となる。すなわちデータ長は１２６ｂｙｔｅとなる。
したがって、実施例５において、ヘッダ部の後半部分を記録信号により記録することにより、ヘッダ部のデータ長は、９７ｂｙｔｅですみ、ヘッダ部を全てエンボスピットにした場合のデータ長の約７７．０％にできる。
【００８８】
図１０に、この実施例５の１物理トラックに対するセクタの構成図を示す。
１物理トラックは、複数のセクタで構成されるが、すべてのセクタについて、図９に示したヘッダ部１のうち、第１ＩＤ部１１の情報をエンボスピットで形成し、第２ＩＤ部１２の情報を記録信号で記録する。
したがって、予め図９のようなエンボスピットで形成された第１ＩＤ部１１を有する光磁気ディスクを作成し、次に示すような手順により、第２ＩＤ部１２を光磁気的に記録する。
【００８９】
この実施例５では、クロックを生成するためのＶＦＯがないので、周期的に形成されたＳＭ信号を用いて、第１ＩＤ部１１の情報の読み出しと記録信号の書込の基準となるクロックを生成する。
すなわち、１物理トラック一周分をスキャンすると、図１０に示すようなＳＭ信号を検出したことを示すヘッダ検出信号２１を得ることができる。
このヘッダ検出信号２１は、各セクタのＳＭ信号が検出されるごとに出力されるので、この信号２１の出現する時間間隔Ｔを用いて、読出しおよび書込みのための基準となるクロックを生成することができる。
【００９０】
次に、実施例５のヘッダ部１の第２ＩＤ部１２の記録手順を説明する。
図１１に、実施例５のヘッダ部の第２ＩＤ部１２の記録手順の説明図を示す。まず、ステップＳ６１，Ｓ６２では、それぞれ前記したステップＳ４１，Ｓ４２と同様の処理をして、あるセクタのヘッダ部１のＳＭ信号（４８ｂｙｔｅ）を検出する。
【００９１】
次に、ステップＳ６３において、物理トラック一周分をスキャンして、基準となるクロックを生成する。ここで基準となるクロックは、前記したように、ＳＭ信号を検出するごとに得られるヘッダ検出信号２１の時間間隔Ｔを利用して生成する。たとえば、信号２１の時間間隔Ｔを所定数倍（たとえば２０４８ｂｙｔｅセクタの場合、ヘッダにＥＣＣ等を含めた容量は２５９５ｂｙｔｅであるので、２５９５×８倍すれば良い）することにより基準となるクロックの周波数が求められる。
さらに、ステップＳ６３において、この基準となるクロックを用いて、ＰＬＬをロックし、データ読み取りクロックを生成する。なお、基準となるクロックの精度を上げるために、ＳＭ信号の他に各セクタのヘッダ部に特別なエンボスピットを設けてもよい。
【００９２】
次に、ステップＳ６４において、再度あるセクタのＳＭ信号およびＡＭ信号を検出する。これによりＩＤ信号読み出し位置を確定する。
ステップＳ６５において、同じセクタのＩＤ１，ＰＡ信号を検出し、トラック番号（１２ｂｙｔｅ）とセクタ番号（６ｂｙｔｅ）を読み取る。
ステップＳ６６において、ＣＲＣ（１２ｂ６ｔｅ）を読み取る。そしてステップＳ６７において、読み取ったトラック番号とセクタ番号から生成したＣＲＣと、読み取ったＣＲＣとが一致するかどうか確認し、一致しなかった場合は、ステップＳ６１へ戻り、再度フォーカシング、トラッキングをやり直す。
【００９３】
ＣＲＣが一致しているときは、ステップＳ６８へ進み、現在スキャンしているトラック、セクタ位置から、最先頭のトラック（たとえば最外周トラック）へジャンプする。
ステップＳ６９において、最先頭トラックの最先頭セクタをスキャンし、このセクタの第１ＩＤ部１１のＳＭ，ＡＭおよびＩＤ１の検出を行う。
【００９４】
ステップＳ７０において、前記した実施例と同様に、ＰＡの後のｇａｐを利用してレーザビームの発光調整を行う。
ステップＳ７１において、再度最先頭セクタのヘッダ部１のＳＭ，ＡＭ，ＩＤ１およびＰＡを検出する。
ステップＳ７２において、ＰＡの終了位置を確認後、ＰＡの後に、この最先頭セクタのヘッダ部１の第２ＩＤ部１２の情報であるＡＭ（１６ｂｙｔｅ），ＩＤ２（５ｂｙｔｅ），ＰＡ（１ｂｙｔｅ）を光磁気的に書込む。
【００９５】
以上の処理により、最先頭セクタのヘッダ部１の第２ＩＤ部１２の情報が記録信号として記録される。
ステップＳ７３において、上記したステップＳ７１，Ｓ７２と同様にして、次のセクタ、さらに残りのセクタすべてに対してそのセクタの第２ＩＤ部１２の情報（ＡＭ，ＩＤ２，ＰＡ）を書込む。
以上の処理により、実施例５の媒体の初期化が終了する。
【００９６】
媒体フォーマットが、ＺｏｎｅＣＡＶの場合の手順は、前記した実施例と同様である。
この実施例によれば、各セクタのヘッダ部１のデータ長を減らすことができ、従来の媒体よりもユーザデータ部の容量を増加させることができる。
【００９７】
〔実施例６〕
ここでは、実施例１に示した構成のヘッダ部１を持つ媒体に対して、ユーザデータ部２の領域に、ユーザデータを記録する手順について説明する。
図１２に、実施例６のユーザデータの記録手順の説明図を示す。
【００９８】
図１に示した第１ＩＤ部１１及び第２ＩＤ部１２がすでに形成された媒体を、ディスク駆動装置にセットする。
ユーザが、所望のデータをこの媒体に記録するための操作を行ったとすると、ディスク駆動装置は、データ記録処理を開始する。この処理は、ＣＰＵがＲＯＭ等に格納された制御プログラムに基づいて動作することにより実行される。
【００９９】
ステップＳ８１において、ディスク駆動装置は、まず記録すべきデータの大きさを確認し、記録を開始すべきセクタ位置と記録に必要なセクタ数を求める。
ステップＳ８２において、レーザービームスポットを光ディスク媒体に照射する。
フォーカスエラー信号を用いて媒体表面上にフォーカスを合わせ、トラックエラー信号を用いレーザービームスポットを記録しようとするトラックにトラッキングする。
【０１００】
次に、ステップＳ８３において、その記録トラックの任意のセクタの第１ＩＤ部１１について、（１）ＳＭ信号の検出、（２）エンボスピットのＶＦＯ１の検出、ＰＬＬ回路のロック、データの読み出しの基準クロックの生成、（３）ＡＭ信号の検出によるＩＤ１開始信号の確認、（４）第１ＩＤ部１１のＩＤ１信号、ＰＡ信号の検出、（５）ＩＤ１の中のアドレス情報（トラック信号、セクタ信号）の読み取り、（６）ＣＲＣの読み取りを行う。
【０１０１】
そして、ステップＳ８４において、読み取ったＣＲＣと、得られたアドレス情報から生成したＣＲＣが一致するか否かをチェックし、一致しない場合は、ステップＳ８１へ戻り、再トラッキングなどの処理を行う。
【０１０２】
ＣＲＣが一致した場合は、ステップＳ８５において、第１ＩＤ部１１のＰＡの後にある第２ＩＤ部１２のＶＦＯ２信号を検出する。そしてこのＶＦＯ２信号を用いてＰＬＬのロック，読取りクロックの生成を行い、生成したクロックを用いてＡＭ信号を検出し、さらにＩＤ２，ＰＡを検出して、ＩＤ２の中のアドレス情報（トラック番号，セクタ番号）とＣＲＣを読み取る。
【０１０３】
ステップＳ８６において、ＩＤ２から読み取ったＣＲＣと、ＩＤ２のアドレス情報から生成したＣＲＣが一致するか否かチェックし、一致しなければステップＳ８１へ戻る。
ＣＲＣが一致した場合は、ステップＳ８７において、第１ＩＤ部１１のＩＤ１から求めたアドレス情報と、第２ＩＤ部１２のＩＤ２から求めたアドレス情報とが一致するか否かチェックする。
【０１０４】
一致していない場合は、ステップＳ８１へ戻り、再度トラッキング等の処理を行う。ただし、図示していないが、アドレス情報の不一致が何度も連続して起こる場合は、現在確認中のセクタは使用不可能と判断して、記録するセクタを別のセクタに変更して処理を進める。
【０１０５】
アドレス情報が一致している場合は、ステップＳ８８へ進み、現在レーザビームがスキャンしたセクタの位置と、ディスク駆動装置がステップＳ８１で決めた記録開始セクタ位置との関係から、記録ヘッドの移動距離を算出する。
ステップＳ８９において、トラッキングをオフとし、記録開始セクタ位置の近傍まで、記録ヘッドを移動させる。
【０１０６】
ステップＳ９０において、移動した位置のセクタにおいて、前記したステップＳ８３〜８７と同様の処理を行い、そのセクタのアドレス情報を取得する。取得したアドレス情報が、ステップＳ８１で決めた記録開始セクタ位置ではない場合は、ステップＳ８８，Ｓ８９の処理を行い、さらに記録開始セクタ位置の方へ、記録ヘッドを移動させる。
【０１０７】
記録ヘッドを移動させて記録開始セクタ位置に来たことを確認した場合、ステップＳ９１において、ステップＳ８３からＳ８７までの処理によりその記録開始セクタ位置のヘッダ部１のＩＤ１とＩＤ２を検出し、ＩＤ１から求めたアドレス情報と、ＩＤ２から求めたアドレス情報が一致するか否か確認する（ステップＳ９２）。
【０１０８】
ステップＳ９２において、アドレス情報が一致しなければ、ステップＳ８９へ戻り再度セクタのスキャンをする。一致するときは、ステップＳ９３へ進み、記録開始セクタの第２ＩＤ部のＰＡの後のギャップを用いて、レーザビームの発光強度調整を行う。
【０１０９】
ステップＳ９４において、そのセクタのヘッダ部１の後のユーザデータ部２にユーザデータ情報を光磁気的方法により記録する。具体的には、ＶＦＯ３（２７ｂｙｔｅ），ｓｙｎｃ（４ｂｙｔｅ），ユーザデータ内容（２４５８ｂｙｔｅ），ＰＡ（１ｂｙｔｅ）を書き込む。ユーザデータ内容は、ユーザデータ自体（２０４８ｂｙｔｅ）の他、ＥＣＣ，ＣＲＣ，ｒｅｓｙｎｃ，その他コントロール情報とから構成される。
【０１１０】
以上の処理により、記録すべきユーザデータのうち一部のデータが、記録開始セクタに書き込まれる。
ステップＳ９５において、その後、ステップＳ８８からＳ９４までと同様の処理を行うことにより、残りの記録すべきユーザデータを別のセクタにそれぞれ書き込み、処理を終了する。
複数のセクタに記録する場合は、必ずしもアドレスが連続したセクタに対して書込む必要はなく、不連続の空きセクタに書込んでもよい。
【０１１１】
なお、この実施例６では、ステップＳ９２においてＩＤ１とＩＤ２から求めたアドレス情報が一致する場合に、ユーザデータを記録するようにしたが（ステップＳ９４）、両アドレス情報に所定の関係が成立した場合にユーザデータを記録するようにしてもよい。
たとえば、エンボスピットのＩＤ１から求めたアドレス情報に対して所定の演算を行った結果を、記録信号のＩＤ２のアドレス情報として予め書き込んでおき、ステップＳ９２で、両アドレス情報の一致の確認の代わりに、ＩＤ１から読み取ったアドレス情報に所定の演算を行って、この演算結果と、ＩＤ２から読み取ったアドレス情報とが一致するか否か確認するようにしてもよい。
【０１１２】
〔実施例７〕
ここでは、媒体を購入したユーザが、そのユーザのデータを媒体に記録する際に、セクタのヘッダ部の記録信号部分を同時に記録する実施例について説明する。
一般に、光ディスクを製造し出荷するときには、セクタのヘッダ部１のエンボスピット部分を形成し、かつヘッダ部１の記録信号部分も書き込まれ、セクタのヘッダ部のいわゆるソフトフォーマットが実行された後に、出荷される。
すなわち、実施例１から５に示したいずれかの手順により、ヘッダ部の記録信号が出荷前に書き込まれる。
また、出荷後であっても、媒体を購入したユーザが、初期化操作を行って、再度ヘッダ部の記録信号を書き込むこともできる。
【０１１３】
さらに、実施例６では、ヘッダ部の記録信号がすでに書き込まれた媒体に対して、ユーザデータを記憶する手順を示した。
しかし、出荷時には、セクタのヘッダ部の中のエンボスピットのみを形成しておき、ヘッダ部の記録信号の部分は、ユーザの手元に渡ってから、その媒体に対して何らかのアクセス（読出し又は書込み）を行ったときに、書込むこともできる。
このように、出荷時に、ヘッダ部の記録信号の記録を行わない場合は、媒体の製造工程の一部を省略することができることになるので、製造の容易化と製造コストの削減ができる。
【０１１４】
以下、実施例１および図１に示した構成の媒体に対して、ユーザが媒体にそのユーザ自身のデータを記録する際に、同時に、セクタのヘッダ部の記録信号を記録する手順について示す。
【０１１５】
図１３に、この発明の実施例７のヘッダ部情報及びユーザデータの記録手順の説明図を示す。
ここでは、ユーザがこの手順を始める前は、媒体のセクタのヘッダ部１のうち、図１の第１ＩＤ部１１のエンボスピット部分のみが形成されており、第２ＩＤ部１２の記録信号部分は何も記録されていないものとする。
【０１１６】
まず、ステップＳ１０１において、ユーザがユーザ自身が作成したデータを保存する操作を行ったとすると、ディスク駆動装置は、レーザビームスポットを光ディスク媒体に照射する。フォーカスエラー信号を用いて媒体面上にフォーカスを合わせ、トラックエラー信号を用いレーザビームスポットを記録トラックにトラッキングする。
【０１１７】
ステップＳ１０２において、レーザビームスポットをトラックに沿ってスキャンし、そのトラック内の任意のセクタの第１ＩＤ部１１のＳＭ信号の検出、ＶＦＯ１信号の検出、ＰＬＬのロック、データ読み出しのクロック生成、ＡＭ信号、ＩＤ１信号、ＰＡ信号の検出、ＩＤ１信号の中のトラック番号、セクタ番号およびＣＲＣの読み取りという一連の処理を行い、トラック番号とセクタ番号から生成したＣＲＣと読み取ったＣＲＣとが一致するか否かを確認する（ステップＳ１０３）。
【０１１８】
ＣＲＣが一致しなかった場合は、フォーカスまたはトラック異常により検出が失敗している可能性があるので、ステップＳ１０１へ戻り、再度フォーカシング等をやり直す。
ＣＲＣが一致した場合、現在スキャンしたトラック位置およびセクタ位置がわかる。
【０１１９】
ステップＳ１０４において、ディスク駆動装置は、前記したデータ保存操作のときに与えられたデータ保存命令に含まれる情報から、記録すべきテ゛ータの開始セクタ位置と記録に必要なセクタ数を算出する。
ステップＳ１０５において、現在のセクタ位置と、記録開始位置と、記録開始位置との関係から移動距離を算出し、トラッキングをオフにし、記録開始セクタ近傍まで記録ヘッドを移動させる。
【０１２０】
ステップＳ１０６において、移動した記録開始セクタ近傍のセクタについてのアドレスを取得する。アドレス取得は、ステップＳ１０２、Ｓ１０３と同様の処理を行えばよい。
通常、一回の移動によりステップＳ１０４で決めた記録開始セクタ位置に記録ヘッドを合わせることはできないので、ステップＳ１０５、Ｓ１０６の処理を繰り返し行うことにより、徐々に記録開始セクタ位置に近づいていく。
【０１２１】
ステップＳ１０７において、記録開始セクタの１つの前のセクタに来たことを確認したとき、このセクタの第１ＩＤ部１１のＰＡの後に設けてあるギャップを用いてレーザービームの発光強度調整を行う。
これは、次の記録開始セクタに来たときにすぐ記録信号の記録ができるようにするためである。
【０１２２】
ステップＳ１０８において、記録開始セクタ位置まで到達した場合、ステップＳ１０２の処理によりこのセクタの第１ＩＤ部１１のＩＤ１を検出する。
そして、このＩＤ１の中のアドレス情報（トラック番号、セクタ番号）から求めたＣＲＣと読み取ったＣＲＣとが一致するか否か確認し（ステップＳ１０９）、一致しない場合は、ステップＳ１０６へ戻る。
【０１２３】
一致した場合は、ステップＳ１１０へ進み、記録開始セクタ位置の第１ＩＤ部１１のＰＡ信号のすぐ後に、光磁気的に記録信号として、第２ＩＤ部１２のＶＦＯ２（１６ｂｙｔｅ）、ＡＭ（１ｂｙｔｅ）、ＩＤ２（５ｂｙｔｅ）、ＰＡ（１ｂｙｔｅ）を順次書き込む。
ここで、書込みクロックは、ステップＳ１０８で検出したＶＦＯ１から生成したクロック信号を定数倍（たとえば６倍）したものを用いる。
また、ＩＤ２には、第１ＩＤ部１１のＩＤ１から読み出したアドレス情報とＣＲＣを記録する。
【０１２４】
ステップＳ１１１において、記録開始セクタに記録すべきユーザデータ情報を、このセクタのヘッダ部の後に続くユーザデータ領域に記録する。
ユーザデータ情報とは、実施例６と同様に、ＶＦＯ３、ｓｙｎｃ、データ、ＰＡからなるものである。
以上の手順により、まず、記録開始セクタにおいて、そのセクタのヘッダ部１の第２ＩＤ部１２に対する記録信号の書込みと、ユーザーデータ情報の書込みが行われた。
【０１２５】
次に書込むべきセクタ位置に対して、前記したステップＳ１０５からＳ１１１の処理を行うことにより、次のセクタの第２ＩＤ部１２とユーザデータ情報の記録信号による書込みを行い、保存要求のあった全ユーザデータについての記録が完了する（ステップＳ１１２）。
したがって、ユーザデータの保存を行ったセクタについては、そのセクタの第２ＩＤ部１２に、そのセクタのアドレス情報が記録信号として記録されることになる。
この場合も、記録されたユーザデータの読み出しを行うときに、セクタのアドレス情報のチェックをＩＤ１とＩＤ２の２つを用いて行えるので、再生時の信頼性は維持される。なお、ＶＦＯとしてＶＦＯ２とＶＦＯ３の２つを書込んでいるが、手順簡略化のためＶＦＯ２のみを書込むようにしてもよい。
【０１２６】
次に、実施例７において、上記の記録手順で記録されたユーザデータを再生する手順について説明する。
図１４に、この発明の実施例７のユーザデータの再生手順を示す。
まず、ユーザが、媒体にすでに記録されているユーザ情報（たとえばファイルの読み出し）の再生操作を行ったとする。このとき、ディスク駆動装置はデータ読み取り命令を受けて再生しようとするユーザデータが記録されているセクタを算出する（ステップＳ１２１）。
【０１２７】
ユーザデータは一般的に複数セクタに分散して格納されている。データが複数セクタにどのように格納されているかを示す情報を得る手段は、ファイルシステムにより異なる。たとえば、ＰＣで一般的に使用されているＦＡＴ（Ｆｉｌｅ  Ａｌｌｏｃａｔｉｏｎ  Ｔａｂｌｅ）ファイルシステムでは、媒体上のＦＡＴとよばれるデータを参照することで、該ファイルを格納しているクラスタ（ＦＡＴでのデータアクセス最小単位）を知ることができる。
ステップＳ１２２において、算出されたセクタのうち最初に読み出されるべきセクタ（再生開始セクタ）に、再生ヘッドを移動させる。
ここで、再生ヘッドの移動は、図１３に示した手順のステップＳ１０５、Ｓ１０６と同様にして、目的のセクタ近傍への移動を行って、徐々に目的のセクタへ再生ヘッドの移動を行う。
【０１２８】
次に、ステップＳ１２３において、再生開始セクタの第１ＩＤ部１１のアドレス情報を再生する。
すなわち、第１ＩＤ部１１のＳＭ、ＶＦＯ１の検出、ＰＬＬロック、クロック生成、ＡＭ、ＩＤ１、ＰＡの検出、トラック番号、セクタ番号およびＣＲＣ１の読み取りを行う。
ステップＳ１２４において、引き続いて再生開始セクタの第２ＩＤ部１２のアドレス情報を再生する。
すなわち、記録信号で記録されたＶＦＯ２を検出しＶＦＯ２を用いてデータ読み取りの基準クロックを生成し、このクロックを用いてＡＭ、ＩＤ２、ＰＡを検出し、ＩＤ２の中のトラック番号、セクタ番号およびＣＲＣ２の読み取りを行う。
【０１２９】
ステップＳ１２５、Ｓ１２６において、エンボスピットのＩＤ１から読み出したＣＲＣ１と記録信号のＩＤ２から読み出したＣＲＣ２について、それぞれエンボスピットのアドレス情報（トラック番号、セクタ番号）および記録信号のアドレス情報から求めたＣＲＣとが一致するか否か確認する。
ＣＲＣ１とＣＲＣ２の両方が不一致のときは、ステップＳ１２２へ戻り、トラッキング、フォーカシングのやり直しを行う。
ＣＲＣ１またはＣＲＣ２のいずれかが一致しているときは、次のステップＳ１２７へ進む。
【０１３０】
ここでは、２つのＣＲＣのうちどちらか一方が一致すればユーザデータの再生処理をしているが、再生時のセクタ検出のやり直しをできるだけ防止するのに適している。また、ＣＲＣが２つとも一致しない場合は稀であると考えられ、ＣＲＣが２つとも一致する場合のみ再生処理をする場合は、セクタ検出のやり直しが多くなり再生処理の効率が悪い。
【０１３１】
ステップＳ１２７において、再生開始セクタの中のユーザデータ部２のユーザーデータの読み取りを行う。ここでは、まず、ＶＦＯ３を検出し、このＶＦＯ３からデータ読み出し用のクロックを生成し、このクロックを用いてＶＦＯ３の後のｄａｔｅ部分に記録されていたユーザデータ自身を読み出す。
以上の処理により、再生開始セクタの中に記録されていたユーザデータが再生される。
【０１３２】
ステップＳ１２８において、最初に算出されたすべてのセクタに対してステップＳ１２２〜Ｓ１２７と同様の処理を繰り返し行うことにより、残りの再生すべきユーザデータの再生を行う。
以上の処理により、ユーザが再生操作を行ったユーザデータの読み取りが完了し、たとえば、その内容が表示画面に表示されることになる。
【０１３３】
【発明の効果】
この発明によれば、セクタのアドレス情報をエンボスピットおよび記録信号を用いて形成しているので、媒体のセクタに形成されたヘッダ部のデータ量を従来よりも減少させることができ、相対的に各セクタ内のユーザデータを記憶する領域を増加させることができる。したがって光情報記憶媒体の記録容量を増加させることができる。
また、セクタ内のエンボスピットで形成される部分が従来よりも少なくなるので、記録信号の書込み前の媒体製造時の媒体形成工程をより簡略化できる。
【０１３４】
さらに、１つのセクタ内に必ず、エンボスピットのアドレス情報とともに記録信号によるアドレス情報が記録されているので、アドレス情報のいわゆるダブルチェックをすることによる信頼性の維持ができ、記録信号が消去されてもエンボスピットによるアドレス情報の読み出しができ、記録信号のみによりアドレス情報が形成されている場合に比べて媒体の記録、再生の信頼性が高い。
【０１３５】
また、エンボスピットによるプリフォーマットが少なくなるため、基板成形時などで発生するＩＤ領域の転写不良を低減させることができ、製造時の歩留りを向上させることができ、製造時の歩留りを向上させることができる。
【図面の簡単な説明】
【図１】この発明の実施例１のヘッダ部の構成図である。
【図２】この発明の実施例１の第２ＩＤ部の記録手順の説明図である。
【図３】この発明の実施例２のヘッダ部の構成図である。
【図４】この発明の実施例２の第２ＩＤ部の記録手順の説明図である。
【図５】この発明の実施例３のヘッダ部の構成図である。
【図６】この発明の実施例４のヘッダ部の構成図である。
【図７】この発明の実施例４のヘッダ部の記録手順の説明図である。
【図８】この発明の実施例４のヘッダ部の記録手順の説明図である。
【図９】この発明の実施例５のヘッダ部の構成図である。
【図１０】この発明の実施例５のヘッダ部の構成図である。
【図１１】この発明の実施例５のヘッダ部の記録手順の説明図である。
【図１２】この発明の実施例６のユーザデータの記録手順の説明図である。
【図１３】この発明の実施例７のヘッダ部とユーザデータの記録手順の説明図である。
【図１４】この発明の実施例７のユーザデータの再生手順の説明図である。
【図１５】この発明の実施例１の主要記録手順におけるビームスポットの動きの模式図である。
【図１６】この発明の実施例２の主要記録手順におけるビームスポットの動きの模式図である。
【図１７】光磁気ディスクのＩＳＯフォーマットの構成図である。
【図１８】従来の光磁気ディスクのヘッダ部の構成図である。
【図１９】従来の媒体のヘッダ部の構成図である。
【符号の説明】
１  ヘッダ部
２  ユーザデータ部
１１  第１ＩＤ部
１２  第２ＩＤ部
１５  論理トラックの先頭セクタのヘッダ部
１６  論理トラックの先頭セクタ以外のヘッダ部
【図１】
2004171677.tif 000004
【図２】
2004171677.tif 000005
【図３】
2004171677.tif 000006
【図４】
2004171677.tif 000007
【図５】
2004171677.tif 000008
【図６】
2004171677.tif 000009
【図７】
2004171677.tif 000010
【図８】
2004171677.tif 000011
【図９】
2004171677.tif 000012
【図１０】
2004171677.tif 000013
【図１１】
2004171677.tif 000014
【図１２】
2004171677.tif 000015
【図１３】
2004171677.tif 000016
【図１４】
2004171677.tif 000017
【図１５】
2004171677.tif 000018
【図１６】
2004171677.tif 000019
【図１７】
2004171677.tif 000020
【図１８】
2004171677.tif 000021
【図１９】
2004171677.tif 000022